(57)【特許請求の範囲】
【請求項１】
可変利得増幅段において、
電圧制御信号の受信に応答して第１及び第２電圧調整信号を提供するように動作可能な第１回路であって、温度補償回路が前記電圧制御信号に応答して前記第１電圧調整信号を提供するように動作可能であり、レベルシフト回路が前記第１電圧調整信号に応答して前記第２電圧調整信号を提供するように動作可能である、前記第１回路と、
前記第１及び第２電圧調整信号と電圧中間周波数信号の受信に応答して電流駆動信号を提供するように動作可能な第２回路であって、前記電流駆動信号がＡＣ電流成分とＤＣ電流成分を有している、前記第２回路と、
前記第１及び第２電圧調整信号の受信に応答してＤＣ電流制御信号を提供するように動作可能な第３回路と、
を備え、
前記電流駆動信号の前記ＤＣ電流成分の第１アンペア・レベルと前記ＤＣ電流制御信号の第２アンペア・レベルとの比が一定であることを特徴とする可変利得増幅段。
【請求項２】
前記第３回路が前記第２回路のレプリカである請求項１に記載の可変利得増幅段。
【請求項３】
前記電圧制御信号の電圧レベルのいかなる変化にも応答して前記電流駆動信号の前記ＤＣ電流成分の前記第１アンペア・レベルと、前記ＤＣ電流制御信号の前記第２アンペア・レベルとを調節するための手段を含んでいる請求項１に記載の可変利得増幅段。
【請求項４】
前記可変利得増幅段を含む送信機チップの温度のいかなる変化にも応答して、前記電流駆動信号の前記ＤＣ電流成分の前記第１アンペア・レベルと、前記ＤＣ電流制御信号の前記第２アンペア・レベルとを調節するための手段を含んでいる請求項１に記載の可変利得増幅段。
【請求項５】
前記可変利得増幅段を含む送信機チップの処理性能のいかなる変化にも応答して、前記電流駆動信号の前記ＤＣ電流成分の前記第１アンペア・レベルと前記ＤＣ電流制御信号の前記第２アンペア・レベルとを調整するための手段を含んでいる請求項１に記載の可変利得増幅段。
【請求項６】
前記可変利得増幅段を含む前記送信機チップの供給電力のいかなる変化にも応答して、前記電流駆動信号の前記ＤＣ電流成分の前記第１アンペア・レベルと前記ＤＣ電流制御信号の前記第２アンペア・レベルとを調整するための手段を含んでいる請求項１に記載の可変利得増幅段。
【請求項７】
送信機において、
電流駆動信号とＤＣ電流制御信号を提供するように動作可能で、前記電流駆動信号がＡＣ電流成分とＤＣ電流成分を有している可変利得増幅段と、
前記ＤＣ電流制御信号の受信に応答して第１ＤＣ電流バイアス信号を提供するように動作可能なバイアス段と、
前記電流駆動信号及び前記第１ＤＣ電流バイアス信号の受信に応答して電流中間周波数信号を提供するように動作可能な位相シフト段と、
を備え、
前記電流駆動信号の前記ＤＣ電流成分の第１アンペア・レベルと前記ＤＣ電流制御信号の第２アンペア・レベルとの第１比が一定であることを特徴とする送信機。
【請求項８】
前記電圧制御信号の電圧レベルのいかなる変化にも応答して、前記可変利得増幅段が、前記電流駆動信号の前記ＤＣ電流成分の前記第１アンペア・レベルと前記ＤＣ電流制御信号の前記第２アンペア・レベルを調節するための手段を含んでいる請求項７に記載の送信機。
【請求項９】
前記送信機チップの温度のいかなる変化にも応答して、前記可変利得増幅段が、前記電流駆動信号の前記ＤＣ電流成分の前記第１アンペア・レベルと前記ＤＣ電流制御信号の前記第２アンペア・レベルを調整するための手段を含んでいる請求項７に記載の送信機。
【請求項１０】
前記信機チップの処理性能のいかなる変化にも応答して、前記可変利得増幅段が、前記電流駆動信号の前記ＤＣ電流成分の前記第１アンペア・レベルと前記ＤＣ電流制御信号の前記第２アンペア・レベルを調整するための手段を含んでいる請求項７に記載の送信機。
【請求項１１】
前記送信機チップの供給電力のいかなる変化にも応答して、前記可変利得増幅段が、前記電流駆動信号の前記ＤＣ電流成分の前記第１アンペア・レベルと前記ＤＣ電流制御信号の前記第２アンペア・レベルを調整するための手段を含んでいる請求項７に記載の送信機。
【請求項１２】
前記ＤＣ電流制御信号の前記第２アンペア・レベルと前記第１ＤＣ電流バイアス信号の第３アンペア・レベルとの第２比が一定である請求項７に記載の送信機。
【請求項１３】
混合段をさらに含み、
前記バイアス段がさらに前記ＤＣ電流制御信号の受信に応答して第２ＤＣ電流バイアス信号を提供するように動作可能であり、
前記混合段が、前記電流中間周波数信号と前記第２ＤＣ電流バイアス信号の受信に応答して電流無線周波数信号を提供するように動作可能である請求項７に記載の送信機。
【請求項１４】
前記ＤＣ電流制御信号の前記第２アンペア・レベルと前記第２ＤＣ電流バイアス信号の第３アンペア・レベルとの第２比が一定である請求項１３に記載の送信機。
【請求項１５】
前記混合段の利得が一定である請求項１３に記載の送信機。
【請求項１６】
送信機を動的にバイアスする方法において、
電圧制御信号の受信に応答して第１及び第２電圧調整信号を発生する工程であって、温度補償回路が前記電圧制御信号に応答して前記第１電圧調整信号を提供するように動作可能であり、レベルシフト回路が前記第１電圧調整信号に応答して前記第２電圧調整信号を提供するように動作可能である、この工程と、
前記第１及び第２電圧調整信号と電圧中間周波数信号の受信に応答して電流駆動信号を発生する工程であって、前記電流駆動信号がＡＣ電流成分とＤＣ電流成分を有している、この工程と、
前記第１及び第２電圧調整信号の受信に応答してＤＣ電流制御信号を発生する工程と、
を備え、
前記電流駆動信号の前記ＤＣ成分の第１アンペア・レベルと前記ＤＣ電流制御信号の第２アンペア・レベルとの第１比が一定であることを特徴とする送信機を動的にバイアスする方法。
【請求項１７】
前記ＤＣ電流制御信号の発生に応答して第１ＤＣ電流バイアス信号を発生する工程をさらに含み、
前記ＤＣ電流制御信号の前記第２アンペア・レベルと前記第１ＤＣ電流バイアス信号の第３アンペア・レベルとの第２比が一定である請求項１６に記載の方法。
【請求項１８】
前記電流駆動信号の発生に応答して電流中間周波数信号を発生する工程と、
前記ＤＣ電流制御信号の発生に応答して第２ＤＣ電流バイアス信号を発生する工程と、
を備え、
前記ＤＣ電流制御信号の前記第２アンペア・レベルと前記第２ＤＣ電流バイアス信号の第４アンペア・レベルとの第３比が一定であり、
前記電流中間周波数信号と前記第２ＤＣ電流バイアス信号の発生に応答して電流無線周波数信号を発生する工程と、
をさらに含む請求項１７に記載の方法。
【請求項１９】
前記電流駆動信号及び前記第１ＤＣ電流バイアス信号の発生に応答して電流中間周波数信号を発生する工程と、
前記ＤＣ電流制御信号の発生に応答して第２ＤＣ電流バイアス信号を発生する工程であって、前記ＤＣ電流制御信号の第２アンペア・レベルと前記第２ＤＣ電流バイアス信号の第４アンペア・レベルとの第３比が一定である、この工程と、
前記電流中間周波数信号及び前記第２ＤＣ電流バイアス信号の発生に応答して電流無線周波数信号を発生する工程と、
を備えることを特徴とする請求項１７に記載の方法。
【請求項２０】
送信機を動的にバイアスする方法において、
電圧制御信号及び電圧中間周波数信号の受信に応答して電流駆動信号を発生する工程であって、前記電流駆動信号がＡＣ電流成分とＤＣ電流成分を有している、この工程と、
前記電圧制御信号の受信に応答してＤＣ電流制御信号を発生する工程であって、前記電流駆動信号の前記ＤＣ成分の第１アンペア・レベルと前記ＤＣ電流制御信号の第２アンペア・レベルとの第１比が一定である、この工程と、
前記ＤＣ電流制御信号の発生に応答して第１ＤＣ電流バイアス信号を発生する工程であって、前記ＤＣ電流制御信号の前記第２アンペア・レベルと前記第１ＤＣ電流バイアス信号の第３アンペア・レベルとの第２比が一定である、この工程と、
前記電流駆動信号の発生に応答して電流中間周波数信号を発生する工程と、
前記ＤＣ電流制御信号の発生に応答して第２ＤＣ電流バイアス信号を発生する工程であって、前記ＤＣ電流制御信号の前記第２アンペア・レベルと前記第２ＤＣ電流バイアス信号の第４アンペア・レベルとの第３比が一定である、この工程と、
前記電流中間周波数信号及び前記第２ＤＣ電流バイアス信号の発生に応答して電流無線周波数信号を発生する工程と、
を備えることを特徴とする送信機を動的にバイアスする方法。
【請求項２１】
前記電流中間周波数信号の発生は、前記電流駆動信号及び前記第１ＤＣ電流バイアス信号に応答したものである請求項２０に記載の方法。
【発明の詳細な説明】
【発明の詳細な説明】
【０００１】
（発明の背景）
１．発明の分野
本発明は概ね送信機に関する。本発明は特に送信機チップ内の電流の動的バイアスに関する。
【０００２】
２．関連技術の説明
送信機チップにおいて、送信機チップの各ブロックをバイアスするための電流は必要とする直線性と出力電力の関数になる。ある送信機チップは出力電力を動的に調整する能力を有している。これによって、バイアス電流は動的に調整されて送信機の総電流消費量が減じられる。
【０００３】
目下、バイアス電流を動的に調整するための技術が二つある。第１の技術は、出力電力が変化したときはいつでもバイアス電流設定のルックアップ・テーブルを読み取る工程とこれに応じてバイアス電流を変更する工程を含んでいる。第２の技術は出力電力を測定する工程と測定された出力電力の関数として適切なバイアス電圧とバイアス電流を動的に発生する工程とを含んでいる。これらの技術はいずれも温度、供給電力および送信機チップの処理性能のいかなる変化も免れない。付加的に、これらの技術はいずれもバイアス電流が動的に調整されるように送信機チップの全利得を一定に絶えず維持することができない。従って、現在まで全利得を一定に維持しながらバイアス電流を動的に調整する有効、かつ、効果的な技術は達成されなかった。
【０００４】
（発明の概要）
本発明は送信機内の電流の動的バイアス処理、より詳しくは従来技術の欠点を克服する送信機チップ内の電流の動的バイアス処理に関する。本発明の種々の態様は新規で、不明瞭であり、また種々の利点を提供する。ここに含まれる本発明の実際の特徴はここに添付される請求の範囲を参照してのみ決定できるが、ここに開示される実施形態の特徴のある一定の特性を次に概略説明する。
【０００５】
本発明の一形態は第１回路と第２回路からなる送信機チップのための可変利得増幅段である。第１回路は可変利得増幅段による電圧制御信号と電圧中間周波数信号の受信に応答して電流駆動信号を提供するように動作可能である。電流駆動信号はＡＣ電流成分とＤＣ電流成分を有している。第２回路は可変利得増幅段による電圧制御信号の受信に応答してＤＣ電流制御信号を提供するように動作可能である。電流駆動信号のＤＣ電流成分のアンペア・レベルとＤＣ電流制御信号のアンペア・レベルの比は一定である。
【０００６】
本発明の第２形態は可変利得増幅段とバイアス段からなる送信機チップである。可変利得増幅段は電流駆動信号とＤＣ電流制御信号を提供するように動作可能である。電流駆動信号はＡＣ要素とＤＣ要素を有している。バイアス段はＤＣ電流制御信号の受信に応答してＤＣ電流バイアス信号を提供するように動作可能である。電流駆動信号のＤＣ要素のアンペア・レベルとＤＣ電流制御信号のアンペア・レベルの比は一定である。
【０００７】
本発明の第３形態は可変利得増幅段と移相段からなる送信機チップである。可変利得増幅段は電流駆動信号とＤＣ電流制御信号を提供するように動作可能である。電流駆動信号はＡＣ要素とＤＣ要素を有している。移送段は電流駆動信号の受信に応答して電流中間周波数信号を提供するように動作可能である。電流駆動信号のＤＣ要素のアンペア・レベルとＤＣ電流制御信号のアンペア・レベルの比は一定である。
【０００８】
本発明の前述の形態および他の形態、特徴および利点は、目下好ましい実施形態の次なる詳細な説明を添付図面に関連して読むことからさらに明白となろう。詳細な説明および図面は本発明を単に示すだけであってこれに限定するものではなく、本発明の範囲は添付の請求の範囲およびその等価なものによって規定される。
【０００９】
（好ましい実施形態の詳細な説明）
本発明の送信機チップ１０のブロック図を図１に示す。図１を参照して、送信機チップ１０は本発明の原理を実行するための可変利得増幅段２０、バイアス段３０、移相段４０および混合段５０からなる。送信機チップ１０の他の段および要素は本発明の説明の明瞭性のために示していない。しかし、ここで送信機チップ１０の段２０、段３０、段４０および段５０の次の説明から、当業者は送信機チップ１０のこの種の付加的段および要素を理解できるであろう。さらに、当業者は送信機チップ１０は、電圧動作モードで送信機チップを動作する従来技術方法とは逆に電流動作モードで動作することが容易に理解できるであろう。
【００１０】
図１および２を参照して、可変利得増幅段２０は送信機チップ１０の利得制御のために割り当てられたピン（図示省略）から電圧制御信号ＶＣＳを受信し、送信機チップ１０のＩ／Ｑモジュレータ・ブロック（図示省略）から中間周波数（例えば、１５０ＭＨｚから２５０ＭＨｚ）で電圧信号ＶＩＦを受信する。これに応答して、可変利得増幅段２０が電流駆動信号ＩＤＳを移相段４０に、またＤＣ電流制御信号ＩＣＳをバイアス段３０に提供する。電流駆動信号ＩＤＳはＡＣ電流成分とＤＣ電流成分を有している。ここで図６〜９に関してより詳細に説明するように、電流駆動信号ＩＤＳのＤＣ要素のアンペア・レベルＸ１とＤＣ電流制御信号ＩＣＳのアンペア・レベルＸ２は送信機チップ１０の動作温度、処理性能および供給電力のいかなる変化も免れる。電流駆動信号ＩＤＳのＤＣ要素のアンペア・レベルＸ１とＤＣ電流制御信号ＩＣＳのアンペア・レベルＸ２は電圧制御信号ＶＣＳの電圧レベル内のあらゆる変化に応答して変化する。しかし、電圧制御信号ＶＣＳの電圧レベル内のあらゆる変化に対する無反応の高い度合いを確立するために、アンペア・レベルＸ１とアンペア・レベルＸ２の比Ｙ１（すなわち、Ｙ１＝Ｘ１／Ｘ２）が一定に維持される。これについては図６〜９に関連してここでさらに詳細に説明する。
【００１１】
図１〜３を参照して、電流制御信号ＩＣＳに応答して、バイアス段３０が４つの（４）ＤＣ電流バイアス信号ＩＢＳ１−ＢＳ４を混合段５０に出力し、またＤＣ電流バイアス信号ＩＢＳ５を移相段４０に出力する。図３に示すように、ＤＣ電流バイアス信号ＩＢＳ１−Ｓ５のアンペア・レベルＸ３−７がそれぞれ同じなるように設計される。アンペア・レベルＸ３−７はまたアンペア・レベルＸ３−７とアンペア・レベルＸ２の比Ｙ２−６（すなわち、Ｙ２＝Ｘ３／Ｘ２；Ｙ３＝Ｘ４／Ｘ２；Ｙ４＝Ｘ５／Ｘ２；Ｙ５＝Ｘ６／Ｘ２；およびＹ６＝Ｘ７／Ｘ２）がそれぞれ一定に維持されて、ＤＣ電流制御信号ＩＣＳのアンペア・レベルＸ２内のあらゆる変化に応答して動的に変化する。当業者は例えば電流ミラーのようなバイアス段３０の種々の従来の実施形態を容易に理解できるであろう。
【００１２】
図１、図２および図４を参照して、電流駆動信号ＩＤＳおよびＤＣ電流バイアス信号ＩＢＳ５に応答して、移相段４０が中間周波数（例えば１５０ＭＨｚから２５０ＭＨｚ）で四つの（４）電流信号ＩＩＦ１−ＩＦ４を提供し、９０度だけのずれた相を混合段５０に提供する。当業者は例えば多相移相装置段、バッファ増幅器等のような移相段４０の種々の従来実施形態を容易に理解できるであろう。
【００１３】
図１および図５を参照して、ＤＣ電流バイアス信号ＩＢＳ１−ＢＳ４と電流中間周波数信号ＩＩＦ１−ＩＦ４に応答して、混合段５０が無線周波数（例えば、９００ＭＨｚから１９００ＭＨｚ）で一対の差動電流信号ＩＲＦ１とＩＲＦ２を送信機チップ１０の外部バラン（図示省略）に提供する。電流無線周波数信号ＩＲＦ１とＩＲＦ２は各々ＡＣ電流成分とＤＣ電流成分を有している。図５に示したように、電流無線周波数信号ＩＲＦ２は信号のピークからピークの振幅が同じである電流無線周波数信号ＩＲＦ１から１８０度位相がずれている。当業者は例えば同相および異相混合器、イメージ・リジェクタ混合器等のような混合段５０の種々の従来の実施形態を容易に理解できるであろう。送信機チップ１０による総電流消費量は電圧制御信号ＶＣＳ、送信機チップ１０の動作温度、送信機チップ１０の処理性能または送信機チップ１０の供給電力のあらゆる変化の関数として変化する一方で、混合段５０の全体の利得は一定であることを当業者には容易に理解できるであろう。
【００１４】
図１と図６を参照して、可変利得増幅回路２１（以下、「ＶＧＡ２１」という）、ダミー可変利得増幅回路（以下、「ダミーＶＧＡ２２」という）および調整回路２３からなる増幅段２０の一実施形態を示す。調整回路２３が電圧制御信号ＶＣＳを受信し、これに応答して、電圧調整信号ＶＡＳ１と電圧調整信号ＶＡＳ２をＶＧＡ２１とダミーＶＧＳ２２に提供する。ＶＧＡ２２は電圧中間周波数信号ＶＩＦも受信し、これに応答して電流駆動信号ＩＤＳを移相段４０に提供する。電圧調整信号ＶＡＳ１と電圧調整信号ＶＡＳ２に応答して、ダミーＶＧＡ２２がＤＣ電流制御信号ＩＣＳをバイアス段３０に提供する。一実施形態において、ダミーＶＧＡ２２はＶＧＡ２１のレプリカであり、このレプリカは電流ＩＣＳとＩＢＳ１−ＢＳ４のためのＤＣ電流パスをバイアス段３０から混合段５０を介して可変利得増幅段２０からの分離を容易にするとともに、電流ＩＤＳとＩＩＦ１−ＩＦ４のためのＡＣ電流パスの第２電流パスを移相段４０から混合段５０を介して可変利得増幅段２０からの分離を容易にしている。結果として、送信機チップ１０によるフィルタ処理は必要ではなく、電流無線周波数信号ＩＲＦ１と電流無線周波数信号ＩＲＦ２の高い直線度が達成される。
【００１５】
図６および図７Ａを参照して、ＶＧＡ２１の一実施形態を示す。ＶＧＡ２１は電流源ＣＳ１、ＮＰＮトランジスタＴ１、ＮＰＮトランジスタＴ２、ＮＰＮトランジスタＴ３、ＮＰＮトランジスタＴ４、ＮＰＮトランジスタＴ５および抵抗器Ｒ１を含んでいる。電流源ＣＳ１、トランジスタＴ１のコレクタ端子およびトランジスタＴ３のコレクタ端子が電源ＰＳに電気的に接続されている。トランジスタＴ１のベース端子とトランジスタＴ２のベース端子が回路２３に電気的に接続され、これによって電圧調整信号ＶＡＳ１がトランジスタＴ１とトランジスタＴ２のベース端子間に印加される。トランジスタＴ１のエミッタ端子とトランジスタＴ２のエミッタ端子がトランジスタＴ４のコレクタ端子に電気的に接続されている。
【００１６】
トランジスタＴ３のベース端子とトランジスタＴ４のベース端子が回路２３に電気的に接続され、これによって電圧調整信号ＶＡＳ２がトランジスタＴ３とトランジスタＴ４のベース端子間に印加される。トランジスタＴ５のベース端子が抵抗器Ｒ１に電気的に接続され、また抵抗器Ｒ１が電源ＰＳに電気的に接続され、これによってバイアス電圧（図示省略）がトランジスタＴ５のベース端子に印加される。電圧中間周波数ＶＩＦがトランジスタＴ５のベース端子にも印加される。トランジスタＴ３のエミッタ端子とトランジスタＴ４のエミッタ端子がトランジスタＴ５のコレクタ端子に電気的に接続されている。トランジスタＴ５のエミッタ端子がアースＧＮＤに電気的に接続されている。
【００１７】
電圧中間周波数ＶＩＦ、電圧調整信号ＶＡＳ１および電圧調整信号ＶＡＳ２に応答して、電流駆動信号ＩＤＳが電流制御ＶＣＳの電圧レベル中のあらゆる変化および送信機チップ１０のあらゆる温度、電源の処理性能の変化のために調整される電流駆動信号ＩＤＳのアンペア・レベルＸ１（図２）を伴う電流源ＣＳ１から移動段４０によって引き出される。図２に示すように電流駆動信号ＩＤＳのピークからピークまでの振幅が電圧制御信号ＶＣＳによってうまく制御される。特に、回路２３が調整信号ＶＡＳ１と電圧調整信号ＶＡＳ２を電圧制御信号ＶＣＳの事前ひずみおよび温度補正の結果として提供する。
【００１８】
図６と図７Ｂを参照して、ダミーＶＧＡ２２の一実施形態を示す。ダミーＶＧＡ２２は電流源ＣＳ２、ＮＰＮトランジスタＴ６、ＮＰＮトランジスタＴ７、ＮＰＮトランジスタＴ８、ＮＰＮトランジスタＴ９、ＮＰＮトランジスタＴ１０、抵抗器Ｒ２を含んでいる。電流源ＣＳ２、トランジスタＴ６のコレクタ端子およびトランジスタＴ８のコレクタ端子が電源ＰＳに電気的に接続されている。トランジスタＴ６のベース端子とトランジスタＴ７のベース端子が回路２３に電気的に接続され、これによって電圧調整信号ＶＡＳ１がトランジスタＴ６とトランジスタＴ７のベース端子間に印加される。トランジスタＴ６のエミッタ端子とトランジスタＴ７のエミッタ端子がトランジスタＴ９のコレクタ端子に電気的に接続されている。
【００１９】
トランジスタＴ８のベース端子とトランジスタＴ９のベース端子が回路２３に電気的に接続され、これによって電圧調整信号ＶＡＳ２がトランジスタＴ８とトランジスタＴ９のベース端子間に印加される。トランジスタＴ１０のベース端子が抵抗器Ｒ２に電気的に接続され、抵抗器Ｒ２が電源ＰＳに電気的に接続され、これによってバイアス（図示省略）がトランジスタＴ１０のベース端子に印加されている。トランジスタＴ８のエミッタ端子とトランジスタＴ９のエミッタ端子がトランジスタＴ１０のコレクタ端子に電気的に接続されている。トランジスタＴ１０のエミッタ端子がアースＧＮＤに電気的に接続されている。
【００２０】
電圧調整信号ＶＡＳ１と電圧調整信号ＶＡＳ２に応答して、ＤＣ電流制御信号ＩＣＳが電圧制御信号ＶＣＳの電圧レベル中のあらゆる変化および送信機チップ１０のあらゆる温度、電源の処理性能の変化のために調整されたＤＣ電流制御信号ＩＣＳを伴う電流源ＣＳ２からバイアス段３０によって引き出される。図２に示すように電流制御信号ＩＣＳのアンペア・レベルＸ２は電圧制御信号ＶＣＳによってうまく制御される。特に、回路２３が調整信号ＶＡＳ１と電圧調整信号ＶＡＳ２を電圧制御信号ＶＣＳの事前ひずみおよび温度補正の結果として提供する。
【００２１】
図７Ａ〜図８を参照して、従来の温度要素（ＴＣ）ブロック２４、従来の直線化ブロック２５および従来のレベル・シフター・ブロック２６を含む回路２３の実施形態を示す。ＴＣブロック２４が電圧制御信号ＶＣＳを受信し、これに応答して電圧温度補正信号ＶＴＣＳを直線化ブロック２５に提供し、また電圧調整信号ＶＡＳ１をレベル・シフター２６に提供する。電圧温度補正信号ＶＴＣＳに応答して、直線化ブロック２５が電圧利得制御信号ＶＧＣＳをＴＣブロック２４に提供し、電圧制御信号ＶＣＳの対数スケールに関して回路２１と回路２２の利得中の変化を直線化する。電圧調整信号ＶＡＳ１に応答して、レベル・シフター２６が図９に示すように電圧調整信号ＶＡＳ１の電圧レベルＸ８よりも低い電圧レベルＸ９を有する電圧調整信号ＶＡＳ２を提供する。
【００２２】
図６を再度参照して、可変利得増幅段２０の別の実施形態において、調整回路２３がＶＧＡ２１に一体化され、また別の調整回路２３がダミーＶＧＡ２２に一体化することができる。
【００２３】
ここに開示する本発明の実施形態は目下好ましいと考えられているものであるが、種々の変形例および修正例が本発明の範囲から逸脱することなく作ることができる。本発明の範囲は添付の請求の範囲内に示されており、等価を意味し範囲内にある全変形例はこれに包含されることを意図している。添付請求の範囲にある用語「からなる」は他の要素または工程を除外するのもではなく、また添付請求の範囲にある語句“ａ"または“ａｎ"は複数を除外するのもではない。
【図面の簡単な説明】
【００２４】
【図１】図１は、本発明による送信機チップの一実施形態のブロック図である。
【図２】図２は、図１のシステムの可変利得増幅段によって提供された電流駆動信号およびＤＣ電流制御信号を示す図である。
【図３】図３は、図１のシステムのバイアス段によって提供された五つの（５）ＤＣ電流バイアス信号を示す図である。
【図４】図４は、図１のシステムの移相段によって提供された四つの（４）電流中間周波数信号を示す図である。
【図５】図５は、図１のシステムの混合段によって提供された二つの（２）電流無線周波数信号を示す図である。
【図６】図６は、図１のバイアス・ブロックの可変利得増幅段の本発明による一実施形態のブロック図である。
【図７Ａ】図７は、図６の可変利得増幅段の可変利得増幅回路の本発明による一実施形態の概略図である。
【図７Ｂ】図８は、図６の可変利得増幅段のダミー可変利得増幅回路の本発明による一実施形態の概略図である。
【図８】図９は、図６の可変利得増幅段の本発明による一実施形態のブロック図である。
【図９】図１０は、図８の調整回路によって提供された二つ（２）の電圧調整信号を示す図である。
【符号の説明】
【００２５】
１０  送信機チップ
２０  可変利得増幅段
２１  可変利得増幅回路
２２  ダミー可変利得増幅回路
２３  調整回路
３０  バイアス段
４０  移相段
５０  混合段
【図１】
0004482711.tif 000002
【図２Ａ】
0004482711.tif 000003
【図２Ｂ】
0004482711.tif 000004
【図３Ａ】
0004482711.tif 000005
【図３Ｂ】
0004482711.tif 000006
【図３Ｃ】
0004482711.tif 000007
【図３Ｄ】
0004482711.tif 000008
【図３Ｅ】
0004482711.tif 000009
【図４Ａ】
0004482711.tif 000010
【図４Ｂ】
0004482711.tif 000011
【図４Ｃ】
0004482711.tif 000012
【図４Ｄ】
0004482711.tif 000013
【図５Ａ】
0004482711.tif 000014
【図５Ｂ】
0004482711.tif 000015
【図６】
0004482711.tif 000016
【図７Ａ】
0004482711.tif 000017
【図７Ｂ】
0004482711.tif 000018
【図８】
0004482711.tif 000019
【図９】
0004482711.tif 000020